(57)【特許請求の範囲】
【請求項１】
建物開口部に配設されるスクリーン設置枠に対し、スクリーン及びその開閉を行う可動框を該可動框の開閉移動のための平行移動機構と共にユニット化したスクリーンユニットを、着脱自在に装設可能にしたスクリーン装置であって、
上記スクリーンユニットを、上記スクリーン設置枠に装着するためのユニット枠と、該ユニット枠内にあって、交互に逆方向に折曲することにより折り畳み自在にした上記スクリーン及びその一端に固定した可動框と、該スクリーンの拡縮方向に挿通したワイヤーを可動框とユニット枠との間に張り廻らすことにより形成された可動框の平行移動機構とを備えたものとして構成し、
上記ユニット枠を、一端を可動框に固定した上記スクリーンの他端を保持する縦枠と、該縦枠の上下端から上記スクリーン及び可動框の拡縮移動方向に延びて該スクリーン及び可動框の拡縮方向移動をガイドする上下横枠とにより構成し、
該上下横枠には、上記平行移動機構を構成するワイヤーを、それらの横枠に沿って先端まで導いて該先端に固定または該先端の転向子で折り返させ、更に、該上下横枠を、可動框によりスクリーンを上記縦枠側に折り畳んだ状態で、中間位置の折曲部において可動框に沿う内側方向に折曲可能に形成した、
ことを特徴とするスクリーン装置。
【請求項２】
上記スクリーンユニットにおけるユニット枠の上下横枠が、建物開口部に設置されているスクリーン設置枠における上下枠の嵌装溝に挿脱自在に装設される、
ことを特徴とする請求項１に記載のスクリーン装置。
【請求項３】
上記ユニット枠における縦枠をスクリーン設置枠の側枠に押し付け、該ユニット枠の真直状態にある上下横枠の各先端を、上記側枠に対向する受け枠の上下端部に係止させる、
ことを特徴とする請求項２に記載のスクリーン装置。
【請求項４】
上記縦枠をばねを介して上記側枠に押し付け、該ユニット枠の真直状態にある上下横枠の各先端を、上記ばねの反力により上記受け枠の上下端部の凹部へ落とし込むことにより該受け枠の上下端部に係止させる、
ことを特徴とする請求項３に記載のスクリーン装置。
【請求項５】
上記上下横枠の中間位置の折曲部を、該横枠自体を構成する合成樹脂材の屈曲可能部分または別部材からなる折曲部片により形成した、
こと特徴とする請求項１〜４のいずれかに記載のスクリーン装置。
【請求項６】
上記可動框の開閉移動のための平行移動機構を、可動框に各一端を固定した２本のワイヤーを、それぞれ可動框の上下端から上下の横枠に沿って該横枠先端に導いたうえで、該先端の転向子で折り返すことによりそれぞれの横枠における縦枠との連結端に導き、該連結端から縦枠内を上下逆方向に通して、縦枠の上部からのワイヤーは該縦枠の下半部において、縦枠の下部からのワイヤーは該縦枠の上半部において、それぞれスクリーンに対してその拡縮方向に挿通し、それらの各先端を可動框に固定した、
ことを特徴とする請求項１〜５に記載のスクリーン装置。
【発明の詳細な説明】
【技術分野】
【０００１】
本発明は、建物開口部に配設されるスクリーン設置枠に対し、防虫、遮光、断熱、目隠し等のためのスクリーン及びその開閉を行う可動框を、該可動框の平行移動機構と共に簡易に着脱できるようにしたスクリーン装置に関するものである。
【背景技術】
【０００２】
従来から、スクリーン装置の現場における組み付け、あるいは破損したスクリーンや可動框の平行移動機構を構成するワイヤー等の交換を含むメンテナンスを容易にするため、建物開口部に配設されたスクリーン設置枠に対し、スクリーン及びその一端に取り付けて該スクリーンの開閉を行う可動框を、該可動框の開閉移動のための平行移動機構と共に着脱できるようにしたスクリーン装置は、例えば特許文献１等によって提案されている。
【０００３】
これらのスクリーン装置においては、可動框に一定の姿勢を保持させるための平行移動機構として、スクリーンの拡縮方向に挿通したワイヤーを可動框とスクリーン設置枠との間に張り廻らすに当たり、少なくとも上記平行移動機構を構成するワイヤーの一端を、可動框がスクリーンの展張時に当接する受け枠側に固定し、あるいは、該受け枠側の転向子で折り返して可動框側に戻す必要があり、そのため、スクリーン装置の現場における組み付けやメンテナンス等のために、スクリーン及びその開閉を行う可動框を該可動框の平行移動機構と共にスクリーン設置枠に対して着脱する場合に、上記ワイヤーの一端あるいは転向子を受け枠側において取り外し、あるいはそれらを受け枠側に取り付けてワイヤーの長さ調整をする必要があり、しかも受け枠側に取り付けられていないワイヤーは遊動状態にあるので、それを纏めておくための始末も必要であり、結果的にスクリーン装置の設置及び取り外しをユーザーにおいて簡易に取り扱うことができず、それらを業者に依頼する必要があった。
【先行技術文献】
【特許文献】
【０００４】
【特許文献１】特開２００６−１８３４１９号公報
【発明の概要】
【発明が解決しようとする課題】
【０００５】
本発明の技術的課題は、建物開口部に配設されたスクリーン設置枠に対し、スクリーン及びその一端の可動框を、該可動框の開閉移動のための平行移動機構と共に着脱できるようにしたスクリーン装置において、上記平行移動機構を含むスクリーンのスクリーン設置枠に対する組付けを容易にすると同時に、該スクリーンを平行移動機構のワイヤーと共に簡易に取り外しできるようにした手段を提供することにある。
【０００６】
本発明の他の技術的課題は、スクリーン設置枠に取り付けられていない平行移動機構のワイヤーが遊動状態になることがなく、それを纏めておくための始末や、スクリーン装置の設置時におけるワイヤーの長さ調整の必要もなくすことができるようにしたスクリーン装置を提供することにある。
【課題を解決するための手段】
【０００７】
上記課題を解決するため、本発明によれば、建物開口部に配設されるスクリーン設置枠に対し、スクリーン及びその開閉を行う可動框を該可動框の開閉移動のための平行移動機構と共にユニット化したスクリーンユニットを、着脱自在に装設可能にしたスクリーン装置であって、上記スクリーンユニットを、上記スクリーン設置枠に装着するためのユニット枠と、該ユニット枠内にあって、交互に逆方向に折曲することにより折り畳み自在にした上記スクリーン及びその一端に固定した可動框と、該スクリーンの拡縮方向に挿通したワイヤーを可動框とユニット枠との間に張り廻らすことにより形成された可動框の平行移動機構とを備えたものとして構成し、上記ユニット枠を、一端を可動框に固定した上記スクリーンの他端を保持する縦枠と、該縦枠の上下端から上記スクリーン及び可動框の拡縮移動方向に延びて該スクリーン及び可動框の拡縮方向移動をガイドする上下横枠とにより構成し、該上下横枠には、上記平行移動機構を構成するワイヤーを、それらの横枠に沿って先端まで導いて該先端に固定または該先端の転向子で折り返させ、更に、該上下横枠を、可動框によりスクリーンを上記縦枠側に折り畳んだ状態で、中間位置の折曲部において可動框に沿う内側方向に折曲可能に形成したことを特徴とするスクリーン装置が提供される。
【０００８】
本発明に係るスクリーン装置の好ましい実施形態においては、上記スクリーンユニットにおけるユニット枠の上下横枠が、建物開口部に設置されているスクリーン設置枠における上下枠の嵌装溝に挿脱自在に装設され、また、上記ユニット枠における縦枠をスクリーン設置枠の側枠に押し付け、該ユニット枠の真直状態にある上下横枠の各先端を、上記側枠に対向する受け枠の上下端部に係止させることにより、上記スクリーンユニットがスクリーン設置枠に取り付けられる。この場合に、上記縦枠をばねを介して上記側枠に押し付け、該ユニット枠の真直状態にある上下横枠の各先端を、上記ばねの反力により上記受け枠の上下端部の凹部へ落とし込むことにより該受け枠の上下端部に係止させるのが望ましい。
また、本発明の好ましい実施形態においては、上下横枠の中間位置の折曲部が、該横枠自体を構成する合成樹脂材の屈曲可能部分または別部材からなる折曲部片により形成される。
【０００９】
更に、本発明の好ましい実施形態においては、上記可動框の開閉移動のための平行移動機構が、可動框に各一端を固定した２本のワイヤーを、それぞれ可動框の上下端から上下の横枠に沿って該横枠先端に導いたうえで、該先端の転向子で折り返すことによりそれぞれの横枠における縦枠との連結端に導き、該連結端から縦枠内を上下逆方向に通して、縦枠の上部からのワイヤーは該縦枠の下半部において、縦枠の下部からのワイヤーは該縦枠の上半部において、それぞれスクリーンに対してその拡縮方向に挿通し、それらの各先端を可動框に固定することにより構成される。
【発明の効果】
【００１０】
以上に詳述した本発明によれば、建物開口部に配設されたスクリーン設置枠に対し、スクリーン及びその一端に取り付けた可動框を、その開閉移動のための平行移動機構と共に着脱できるようにしたスクリーン装置において、上記平行移動機構を含むスクリーンのスクリーン設置枠に対する組付けを容易にすると同時に、該スクリーンを平行移動機構のワイヤーと共に簡易に取り外しでき、しかも、スクリーン設置枠に取り付けられていない平行移動機構のワイヤーが遊動状態になることがなく、それを纏めておくための始末や、スクリーン装置の設置時におけるワイヤーの長さ調整の必要もなくすことができる。
【図面の簡単な説明】
【００１１】
【図１】本発明に係るスクリーン装置の実施例の正面側から見た縦断面図である。
【図２】上記スクリーン装置の水平断面図である。
【図３】上記スクリーン装置の側断面図である。
【図４】上記スクリーン装置におけるスクリーンユニットをスクリーン設置枠から取り外す準備状態を示す縦断面図である。
【図５】上記スクリーンユニットをスクリーン設置枠から取り外す直前の状態を示す縦断面図である。
【図６】上記スクリーンユニットを正面側から見た部分縦断面図である。
【図７】上記スクリーンユニットの水平断面図である。
【図８】上記スクリーンユニットの側断面図である。
【図９】上記スクリーン装置の正面図である。
【発明を実施するための形態】
【００１２】
図１〜図９は、本発明に係るスクリーン装置の実施の一例を示している。このスクリーン装置は、概略的には、図１に示すように、建物開口部１に配設されるスクリーン設置枠２に対して着脱自在に装設可能にしたスクリーンユニット３（図４〜図８参照）を、スクリーン５及びその開閉を行う可動框６を該可動框６の開閉移動のための平行移動機構と共にユニット化して構成したものである。
【００１３】
また、上記建物開口部１に配設したスクリーン設置枠２に装設される上記スクリーンユニット３は、主として、上記スクリーン設置枠２に装着するためのユニット枠７と、該ユニット枠７内にあって、交互に逆方向に折曲することにより折り畳み自在にした上記スクリーン５及びその一端に固定した可動框６と、該スクリーン５の拡縮方向に挿通したワイヤー８を可動框６とユニット枠７との間に張り廻らすことにより形成された可動框６の平行移動機構とを備えている。
【００１４】
上記スクリーン設置枠２としては、既存の建築物の建物開口部１に後付けで取り付けるようにしたこのスクリーン装置に専用のものを用いることもできるが、建物開口部１に予め配設されたサッシの内周に設けられている溝状部や、該建物開口部１を構成する造作材に形成された溝状部等を利用することができる。
図面に示している上記スクリーン設置枠２は、上記ユニット枠７におけるスクリーン５の一端を取り付けた縦枠１８を収容する溝１１ａを備えた側枠１１と、該側枠１１に対向する位置に配置され、スクリーン５の展張時に可動框６が当接する受け枠１２と、引き戸の鴨居と敷居状に形成されて、ユニット枠７の上下横枠１９，２０が挿脱自在に装設される嵌装溝１３ａ，１４ａを有する上下枠１３，１４とを備え、更に、上記スクリーン設置枠２の四隅には、上記側枠１１及び受け枠１２の上下端をそれぞれ上下枠１３，１４と連結するコーナー枠１５，１６を備えることにより構成している。上記コーナー枠１５，１６は、４辺の他の枠と一体的に構成することもできる。
【００１５】
上記スクリーン５としては、防虫、遮光、断熱、目隠し等のための各種スクリーンを用いることができるが、ここでは、防虫用ネットを交互に逆方向に折曲することによりアコーディオン状に形成した折り畳み自在のものを用いる網戸の場合を示している。
また、上記平行移動機構は、図６に明瞭に示すように、それを構成する１本または複数本のワイヤー８が、可動框６に常に一定の直立姿勢を保持させて、それを安定的に平行移動させるものであり、周知の各種態様で、スクリーン５を通して可動框６とユニット枠７との間に該ワイヤー８を張り廻らすことができる。このワイヤー８は、少なくともその一端を受け枠１２の近辺に固定し、あるいは、該受け枠１２の近辺の転向子で折り返して可動框側に戻す必要があるが、このワイヤー８の具体的な張設例については後述する。
【００１６】
上記ユニット枠７は、一端を可動框６に固定した上記スクリーン５の他端を保持する縦枠１８と、該縦枠１８の上下端から上記スクリーン５及び可動框６の拡縮移動方向に延びて該スクリーン５及び可動框６の拡縮方向移動をガイドする上下横枠１９，２０とにより構成している。該上下横枠１９，２０は、図４及び図５に示すように、可動框６によりスクリーン５を上記縦枠１８側に折り畳んだ状態で、中間位置の折曲部１９ａ，２０ａにおいて可動框６に沿う内側方向に折曲可能に形成したものであるが、図１あるいは図６に示すような真直状態においては、互いに対向する内側面により、可動框６の上下端に取り付けた転輪２２を転動させるガイド面１９ｂ，２０ｂを形成し、また、スクリーン５の上下部に挿通したワイヤー８を支持する支持片２３をガイドするためのガイド溝１９ｃ，２０ｃをも備えるものである。
【００１７】
上下横枠１９，２０における上記折曲部１９ａ，２０ａの設置位置は、図４及び図５から分かるように、スクリーン５を上記縦枠１８側に密に折り畳んだ状態において折曲できる縦枠１８側からの最短位置であってもよいが、折り畳んだスクリーン５の間に異物が挟まれる場合などを考慮すると、スクリーン５を軽く折り畳んだ状態で可動框６に沿うように折曲できる態様が望まれる。
【００１８】
上記上下横枠１９，２０における中間位置の折曲部１９ａ，２０ａは、該横枠１９，２０自体を構成する合成樹脂材に軟質または薄肉化による屈曲可能部分を設けて形成することもできるが、別部材からなる折曲部片により上下横枠の基端側と先端側を連結して形成することもできる。そして、上記上下横枠１９，２０においては、図６に示すように、平行移動機構を構成するワイヤー８を、それらの横枠１９，２０に沿ってその先端まで導き、該先端に設けた転向子２１で折り返すように張設しているが、後述するように、該ワイヤー８の端部を上下横枠１９，２０の先端に固定することもできる。
なお、上下の横枠１９，２０における折曲部１９ａ，２０ａの位置は、同一である必要はなく、図５に示すようにそれらの折曲時に両横枠１９，２０の先端部が重なるときは、その重なり分だけ位置をずらすこともできる。
【００１９】
上記スクリーンユニット３を建物開口部１におけるスクリーン設置枠２内に装設する際には、そのユニット枠７における上下横枠１９，２０を、建物開口部１のスクリーン設置枠２の上下枠１３，１４に設けた嵌装溝１３ａ，１４ａに、それぞれ、図５に示すような状態に嵌装し、そのうえで、上記ユニット枠７における縦枠１８をスクリーン設置枠２の側枠１１における溝１１ａ内に押し付けると共に、該ユニット枠７の上下横枠１９，２０の折曲部１９ａ，２０ａを、図４の状態を介して図１に示すように真直状態として、該上下横枠１９，２０の各先端を、上記側枠１１に対向する受け枠１２の上下端部に係止させる。
【００２０】
上記上下横枠１９，２０の各先端の受け枠１２上下端部への係止は、適宜手段で行うこともできるが、図１に明瞭に示しているように、前記側枠１１上下端のコーナー枠１５に設けたばね２５を介して上記縦枠１８を上記側枠１１に押し付け、該ユニット枠７の真直状態にある上下横枠１９，２０の各先端を、上記ばね２５の反力により上記受け枠１２の上下端部の凹部２６，２７へ落とし込むことにより、該受け枠１２の上下端部に簡単に係止させることができ、しかもスクリーンユニット３をスクリーン設置枠２内に安定的に保持させることができる。
なお、図示していないが、上記可動框６と受け枠１２との間には、該可動框６が受け枠１２に当接したときに両者を結合させるラッチが設けられる。
【００２１】
逆に、スクリーン設置枠２内に装設したスクリーンユニット３を取り外す際には、図１の状態にあるスクリーン５を図４の状態に折り畳み、そのうえで、該スクリーンユニット３におけるユニット枠７の縦枠１８を、上記スクリーン設置枠２の側枠１１に押し付け、その状態で該ユニット枠７の真直状態にある上下横枠１９，２０の各先端を、上記受け枠１２の上下端部での係止を外し、更に図５の状態までユニット枠７の上下横枠１９，２０の先端側を折曲することにより、スクリーン設置枠２の上下枠１３，１４に設けた嵌装溝１３ａ，１４ａからスクリーンユニット３を容易に離脱できるようになる。しかも、この状態ではワイヤー８が折曲した上下横枠１９，２０内に保持されているので、遊動するワイヤーの始末をする必要もない。
【００２２】
図６には、上記可動框６の開閉移動のための平行移動機構を備えたスクリーンユニット３の具体的構成を例示している。この平行移動機構は、可動框６に各一端を固定した２本のワイヤー８を、それぞれ可動框６の上下端から上下の横枠１９，２０に沿って該横枠１９，２０の先端に導いたうえで、該先端の転向子２１で折り返して、それぞれの横枠１９，２０における縦枠１８との連結端に導き、該連結端から縦枠１８内に向けて上下逆方向に通して、縦枠１８の上部からのワイヤー８は該縦枠１８の下半部において、また、縦枠１８の下部からのワイヤー８は該縦枠１８の上半部において、それぞれ、スクリーン５に対してその拡縮方向に挿通し、それらの各先端を可動框６に固定している。なお、上記ワイヤー８を上下に多段に張設する場合、必ずしもその全てをスクリーン５に挿通する必要はなく、一部をスクリーンに沿って張設することもできる。
かかるワイヤー８の張設により、可動框６のどの部分をスクリーン５の開閉方向に移動操作しても、該可動框６がその姿勢を保持しながら円滑に移動することになる。
【００２３】
図６では、上下横枠１９，２０の先端に転向子２１を取り付けてそこでワイヤー８を折り返すようにしているが、上下横枠１９，２０の先端にそれぞれワイヤー８の一端を固定することによっても平行移動機構を構成させることができる。この場合に、可動框６とユニット枠７との間に張り廻らすワイヤーは、例えば、２本のワイヤーの各一端を上下横枠１９，２０の先端に固定し、それらのワイヤーをそれぞれの横枠１９，２０に沿って縦枠１８側に導いて、可動框６の上下端から該可動框６内に挿通し、両ワイヤーを可動框６の他端から導出してそれぞれ縦枠１８側に導き、該縦枠１８の近傍でユニット枠７に固定すればよい。
【００２４】
また、上述したスクリーン装置においては、スクリーンユニット３を工場生産して出荷する場合に、予め、ワイヤー８の長さを適正に調整しておくことにより、その後に上下横枠１９，２０を内側に折曲して搬送したとしても、設置現場において該上下横枠１９，２０を真直状態にすれば、ワイヤー長を調整したもとの状態に復帰させることができるので、スクリーン装置の設置現場でのワイヤー長の調整を省略することが可能になり、現場作業を著しく簡素化することができると同時に、一般のユーザーにおいても、業者に依頼することなく簡易にスクリーンの交換等のメンテナンスを行うことが可能になる点において有効である。
【符号の説明】
【００２５】
１    建物開口部
２    スクリーン設置枠  
３    スクリーンユニット
５    スクリーン
６    可動框
７    ユニット枠
８    ワイヤー
１１    側枠
１２    受け枠
１３    上枠
１４    下枠
１３ａ，１４ａ    嵌装溝
１８    縦枠
１９    上横枠
２０    下横枠
１９ａ，２０ａ    折曲部
２１    転向子
２５    ばね
２６，２７    凹部
【図１】
0005385121.tif 000002
【図２】
0005385121.tif 000003
【図３】
0005385121.tif 000004
【図４】
0005385121.tif 000005
【図５】
0005385121.tif 000006
【図６】
0005385121.tif 000007
【図７】
0005385121.tif 000008
【図８】
0005385121.tif 000009
【図９】
0005385121.tif 000010